(57)【要約】【課題】  簡素な構造であって、引き出したベルトが、所定の設定長以上に引き出されることを或いはさらに過度に引き出されることを規制するベルト装置を提供する。【解決手段】  ブラケット１２に回転可能に枢支したリール１３と、リールに一端を取り付けたベルトとを備え、リールから引き出したベルトを巻き取るベルト装置であって、リールと共に回転し、少なくとも一つの爪部１６Ａを有するギヤ１６と、ベルトの引き出しに伴うリールの回転を、爪部と衝接することで規制するストッパ１８とを備えている。【選択図】  図３
2005131184.tif 000002
【特許請求の範囲】
【請求項１】
ブラケットに回転可能に枢支したリールと、該リールに一端を取り付けたベルトと、を備えており、上記リールから引き出した上記ベルトを巻き取るベルト装置であって、
上記リールと共に回転し、少なくとも一つの爪部を有するギヤと、
上記ベルトの引き出しに伴う上記リールの回転を、上記爪部と衝接することで規制するストッパと、を備えていることを特徴とする、ベルト装置。
【請求項２】
前記ブラケットが、底板部と、該底板部の左右の縁からそれぞれ起立し互いに向かい合った一対の側壁部と、から構成されており、
前記ストッパが、一方の側壁部に揺動可能に枢支されていることを特徴とする、請求項１に記載のベルト装置。
【請求項３】
前記ストッパが、前記爪部に対応して形成した切り欠きを有し、該切り欠きが、前記ストッパを揺動することで前記爪部の回転軌跡上に移動することを特徴とする、請求項２に記載のベルト装置。
【請求項４】
前記ブラケットの一対の側壁部の同じ位置に、前記底板部から垂直方向に沿って縦長状の第一の穴を開設して、これらの第一の穴に両端を貫通するようにスライド部材を摺動可能に配設し、
さらに、前記ストッパに、回転軸の上方に鉛直線に対して傾斜した方向に沿って細長状の第二の穴を開設してこの第二の穴に上記スライド部材の一端を摺動可能に配設し、
上記スライド部材の移動に連動して上記ストッパが揺動することを特徴とする、請求項３に記載のベルト装置。
【請求項５】
前記ストッパの切り欠きが前記爪部の回転軌跡上から外れるように、前記スライド部材が弾性部材によって付勢されていることを特徴とする、請求項４に記載のベルト装置。
【請求項６】
前記スライド部材にバーが取り付けられており、このバーが前記底板部に開設された第三の穴を貫通して外に突出し、バーを押すことで、前記スライド部材を摺動させ、前記ストッパを揺動させることができることを特徴とする、請求項５に記載のベルト装置。
【請求項７】
寝台と寝台に寝かせた乳幼児を拘束する拘束具とを備えたおむつ交換台であって、
上記拘束具が、ベルト装置とバックルと係止部材とを備え、
上記ベルト装置が、ブラケットに回転可能に枢支したリールと、該リールに一端を取り付けたベルトと、上記リールと共に回転し、少なくとも一つの爪部を有するギヤと、上記ベルトの引き出しに伴う上記リールの回転を、上記爪部と衝接することで規制するストッパと、を備えて上記寝台に配設されており、
上記ベルトの先端が、上記寝台から引き出されて上記バックルに取り付けられ、
上記係止部材が、上記寝台の表面に配設されていて、
上記バックルを上記係止部材に取り外し可能に係止することを特徴とする、おむつ交換台。
【請求項８】
前記ブラケットが、底板部と、該底板部の左右の縁からそれぞれ起立し互いに向かい合った一対の側壁部と、から構成されており、
前記ストッパが、一方の側壁部に揺動可能に枢支されていることを特徴とする、請求項７に記載のおむつ交換台。
【請求項９】
前記ストッパが、前記爪部に対応して形成した切り欠きを有し、該切り欠きが、前記ストッパを揺動することで前記爪部の回転軌跡上に移動することを特徴とする、請求項８に記載のおむつ交換台。
【請求項１０】
前記ブラケットの一対の側壁部の同じ位置に、前記底板部から垂直方向に沿って縦長状の第一の穴を開設して、これらの第一の穴に両端を貫通するようにスライド部材を摺動可能に配設しており、
さらに、前記ストッパに、回転軸の上方に鉛直線に対して傾斜した方向に沿って細長状の第二の穴を開設し、該第二の穴に上記スライド部材の一端を摺動可能に配設し、
上記スライド部材の移動に連動して上記ストッパが揺動することを特徴とする、請求項９に記載のおむつ交換台。
【請求項１１】
前記ストッパの切り欠きが前記爪部の回転軌跡上から外れるように、前記スライド部材を弾性部材によって付勢することを特徴とする、請求項１０に記載のおむつ交換台。
【請求項１２】
前記スライド部材にバーが取り付けられており、該バーが前記底板部に開設された第三の穴を貫通して上記ベルト装置から突出し、さらに、該バーが、前記寝台の表面に形成された第四の穴から突出しており、
前記バックルを前記係止部材に係止すると、前記バーが前記バックルに押されて前記スライド部材を摺動させ、これにより前記ストッパを揺動させることを特徴とする、請求項１１に記載のおむつ交換台。
【請求項１３】
座部と、該座部に着座した者を拘束する拘束具を備えた椅子であって、
上記拘束具が、ベルト装置とバックルと係止部材とを備え、
上記ベルト装置が、ブラケットに回転可能に枢支したリールと、該リールに一端を取り付けたベルトと、上記リールと共に回転し、少なくとも一つの爪部を有するギヤと、上記ベルトの引き出しに伴う上記リールの回転を、上記爪部と衝接することで規制するストッパとを備えて、上記座部に取り付けられたケースに配設され、
上記ベルトの先端が、上記ケースから引き出されて上記バックルに取り付けられ、
上記係止部材が、上記ケースの表面に配設され、
上記バックルを上記係止部材に取り外し可能に係止することを特徴とする、椅子。
【請求項１４】
前記ブラケットが、底板部と該底板部の左右の縁からそれぞれ起立し互いに向かい合った一対の側壁部とから構成されており、
前記ストッパが、一方の側壁部に揺動可能に枢支されていることを特徴とする、請求項１３に記載の椅子。
【請求項１５】
前記ストッパが、前記爪部に対応して形成した切り欠きを有し、該切り欠きが、前記ストッパを揺動することで前記爪部の回転軌跡上に移動することを特徴とする、請求項１４に記載の椅子。
【請求項１６】
前記ブラケットの一対の側壁部に、前記底板部から垂直方向に沿って縦長状の第一の穴を開設して、該第一の穴に両端を貫通するようスライド部材を摺動可能に配設し、
さらに、前記ストッパに、回転軸の上方に鉛直線に対して傾斜した方向に沿って細長状の第二の穴を開設し、該第二の穴に上記スライド部材の一端を摺動可能に配設し、
上記スライド部材の移動に連動して上記ストッパを揺動させることを特徴とする、請求項１５に記載の椅子。
【請求項１７】
前記ストッパの切り欠きが前記爪部の回転軌跡上から外れるように、前記スライド部材を弾性部材によって付勢していることを特徴とする、請求項１６に記載の椅子。
【請求項１８】
前記スライド部材にバーが取り付けられており、該バーが前記底板部に開設された第三の穴を貫通して上記ベルト装置から突出し、さらに、該バーが前記寝台の表面に形成された第四の穴から前記寝台から突出しており、
バックルを前記係止部材に係止すると、前記バーが前記バックルに押されて前記スライド部材を摺動させ、これにより前記ストッパを揺動させることを特徴とする、請求項１７に記載の椅子。
【発明の詳細な説明】
【技術分野】
【０００１】
本発明は、引き出したベルトが所定の長さ以上に引き出されることを規制し得るベルト装置に関する。
【背景技術】
【０００２】
デパート，遊園地などの民間施設や役所などの公共施設においては、乳幼児を連れた保護者が乳幼児のおむつ交換作業を補助するために、乳幼児を安全に保持する『おむつ交換台』が、トイレや化粧室などに設置されて利用に供されている。
【０００３】
このおむつ交換台は、例えば、床面から垂直に起立した支柱とこの支柱に枢支された寝台とを備えており、使用時に寝台を支柱に対して回転させて水平状態で使用する。なお、寝台は、ベッド基材と、このベッド基材において子供を寝かせる面に敷設されたベッド本体とから構成されている。さらに、寝台に寝かせた乳幼児の動きを規制するように、例えば、図９に示すように、ベッド本体５０に乳幼児のウェスト近傍の位置を拘束するベルト５０Ａ，５０Ｂが取り付けられている。
【０００４】
このベルト５０Ａの一端は、ベビーシート５０の幅方向の端部に固定されており、他端にはベルト５０Ｂのバックル５１Ｂと係合させるバックル５１Ａが設けられている。一方、ベルト５０Ｂは、図１０に示すように、ベッド基材１００に取り付けたリング１１０を介してベッド基材１００に設けたベルト長さ調整用のバネ１２０に接続されている。このようなベルト装置によれば、寝台に寝かせた乳幼児のウェスト廻りでバックル５１Ａとバックル５１Ｂとを係合すると、バネ１２０の付勢力によりベルト５０Ｂの余剰部分が寝台内に引かれて中に入れられ、ベルト５０Ａ，５０Ｂが乳幼児の体に適合して乳幼児を拘束する。
【０００５】
【特許文献１】特開２００３−０５２４９６号公報
【発明の開示】
【発明が解決しようとする課題】
【０００６】
しかしながら、図１１及び図１２に示すような、従来のおむつ交換台におけるベルト装置においては、寝台から引き出されるベルト５０Ｂの長さの調整がバネ１２０の伸縮によるので、乳幼児をベッド本体５０に仰向けに寝かせてベルト５０Ａとベルト５０Ｂとで拘束しても、乳幼児が寝返りなどをするとその動きに連動してバネ１２０が伸張し、ベルト５０Ｂがさらに寝台内から引き出される。このように、乳幼児の動きに伴ってベルト５０Ｂが寝台から容易に引き出されるのでは十分に乳幼児を拘束できず、保護者のおむつ交換作業などを円滑にするには至らなかった。
【０００７】
本発明は、以上の点に鑑み、簡素な構造であって、引き出したベルトが所定長以上に引き出されることを、或いはさらに過度に引き出されることを規制するベルト装置を提供することを目的とする。
【課題を解決するための手段】
【０００８】
上記目的を達成するために、本発明のベルト装置は、ブラケットに回転可能に枢支したリールとリールに一端を取り付けたベルトとを備え、リールから引き出したベルトを巻き取る装置であって、リールと共に回転し、少なくとも一つの爪部を有するギヤと、ベルトの引き出しに伴うリールの回転を爪部と衝接することで規制するストッパと、を備えていることを特徴としている。
【０００９】
本発明のベルト装置は、好ましくは、前記ブラケットが、底板部とこの底板部の左右の縁からそれぞれ起立し、互いに向かい合った一対の側壁部とから構成され、前記ストッパが一方の側壁部に揺動可能に枢支されている。
【００１０】
本発明のベルト装置は、前記ストッパが、好ましくは、前記爪部に対応して形成した切り欠きを有し、この切り欠きがストッパを揺動することで爪部の回転軌跡上に移動する。  
【００１１】
本発明のベルト装置は、好ましくは、前記ブラケットの一対の側壁部に、前記底板部から垂直方向に沿って縦長状の第一の穴を開設して、これらの第一の穴に両端を貫通するようにスライド部材を摺動可能に配設しており、さらに、前記ストッパに、回転軸の上方に鉛直線に対して傾斜した方向に沿って細長状の第二の穴を開設し、第二の穴にスライド部材の一端を摺動可能に配設し、スライド部材の移動に連動してストッパが揺動する。
【００１２】
本発明のベルト装置は、好ましくは、前記ストッパの切り欠きが前記爪部の回転軌跡上から外れるように、前記スライド部材を弾性部材により付勢している。
【００１３】
本発明のベルト装置は、好ましくは、前記スライド部材にバーが取り付けられ、このバーが前記底板部に開設した第三の穴を貫通して外に突出し、バーを押すことで、スライド部材を摺動させてストッパを揺動させる。
【００１４】
さらに、本発明のおむつ交換台は、寝台と寝台に寝かせた乳幼児を拘束する拘束具とを備え、拘束具がベルト装置とバックルと係止部材とを具備し、ベルト装置が、ブラケットに回転可能に枢支したリールと、リールに一端を取り付けたベルトと、リールと共に回転し少なくとも一つの爪部を有するギヤと、ベルトの引き出しに伴うリールの回転を爪部と衝接することで規制するストッパとを備えて寝台の中に配設され、ベルトの先端が、寝台から引き出されてバックルに取り付けられており、係止部材が寝台の表面に配設されていて、バックルを係止部材に取り外し可能に係止させることを特徴としている。
【００１５】
本発明のおむつ交換台は、好ましくは、前記ブラケットが、底板部とこの底板部の左右の縁からそれぞれ起立し互いに向かい合った一対の側壁部とから構成され、前記ストッパが一方の側壁部に揺動可能に枢支されている。
【００１６】
本発明のおむつ交換台は、前記ストッパが、好ましくは、前記爪部に対応して形成した切り欠きを有し、この切り欠きがストッパを揺動することで、前記爪部の回転軌跡上に移動する。
【００１７】
本発明のおむつ交換台は、好ましくは、前記ブラケットの一対の側壁部に、前記底板部から垂直方向に沿って縦長状の第一の穴を開設して、これらの第一の穴に両端を貫通するようにスライド部材を摺動可能に配設しており、さらに、前記ストッパに、回転軸の上方に鉛直線に対して傾斜した方向に沿って細長状の第二の穴を開設し、この第二の穴に上記スライド部材の一端を摺動可能に配設し、これにより上記スライド部材の移動に連動して上記ストッパが揺動する。
【００１８】
本発明のおむつ交換台は、好ましくは、前記ストッパの切り欠きが前記爪部の回転軌跡上から外れるように、前記スライド部材を弾性部材により付勢する。
【００１９】
本発明のおむつ交換台は、好ましくは、前記スライド部材にバーを取り付け、このバーを前記底板部に開設した第三の穴を貫通して上記ベルト装置から突出させ、さらに、このバーを前記寝台の表面に形成した第四の穴から突出させ、バックルを係止部材に係止すると、上記バーがバックルで押されて前記スライド部材を摺動させ、これによりストッパを揺動させる。
【００２０】
さらに、本発明の椅子は、座部と、座部に着座した者を拘束する拘束具を備え、拘束具がベルト装置とバックルと係止部材とを具備し、ベルト装置が、ブラケットに回転可能に枢支したリールと、リールに一端を取り付けたベルトと、リールと共に回転し少なくとも一つの爪部を有するギヤと、ベルトの引き出しに伴うリールの回転を爪部と衝接することで規制するストッパとを備えて座部に取り付けたケースに配設されており、ベルトの先端が、ケースから引き出されてバックルに取り付けられ、係止部材がケースの表面に配設され、バックルを係止部材に取り外し可能に係止させることを特徴としている。
【００２１】
本発明の椅子は、好ましくは、前記ブラケットが、底板部とこの底板部の左右の縁からそれぞれ起立し互いに向かい合った一対の側壁部とから構成され、前記ストッパが、一方の側壁部に揺動可能に枢支されている。
【００２２】
本発明の椅子は、前記ストッパが、好ましくは、前記爪部に対応して形成した切り欠きを有し、この切り欠きがストッパを揺動することで爪部の回転軌跡上に移動する。
【００２３】
本発明の椅子は、好ましくは、前記ブラケットの一対の側壁部の同じ位置に、前記底板部から垂直方向に沿って縦長状の第一の穴を開設してこれらの第一の穴に両端を貫通するようにスライド部材を摺動可能に配設しており、さらに、前記ストッパに、回転軸の上方に鉛直線に対して傾斜した方向に沿って細長状の第二の穴を開設し、該第二の穴にスライド部材の一端を摺動可能に配設し、スライド部材の移動に連動してストッパが揺動する。  
【００２４】
本発明の椅子、好ましくは、前記ストッパの切り欠きが前記爪部の回転軌跡上から外れるように、前記スライド部材が弾性部材によって付勢されている。
【００２５】
さらに、本発明の椅子は、好ましくは、前記スライド部材にバーを取り付けこのバーを前記底板部に開設された第三の穴を貫通して上記ベルト装置から突出し、さらに、上記バーを、前記寝台の表面に形成した第四の穴から突出させ、バックルを前記係止部材に係止すると、バーがバックルに押されてスライド部材を摺動させ、これによりストッパを揺動させる。
【発明の効果】
【００２６】
本発明によれば、引き出したベルトを所定の長さ以上に引き出すことを規制することができる。
【発明を実施するための最良の形態】
【００２７】
以下、図面に基づいて本発明の実施形態を説明する。
図１は本発明の実施形態に係るベルト装置を備えたおむつ交換台１の斜視図である。このおむつ交換台１は、従来知られたものと同様に構成されており、壁面に取り付けられる支柱３と、起伏可能に一方の側縁を支柱３に枢支された寝台４と、を備えている。このおむつ交換台１を使用する際には、図に示すように、寝台４を支柱３に対して回転させて水平状態にして使用する。
【００２８】
寝台４は、支柱に側縁が枢支された方形状のベッド基材５と、このベッド基材５に形成された凹陥部に嵌入して取り付けられたベッド本体６とから構成されている。
【００２９】
このベッド本体６は、こけし状の輪郭に形成した寝床部７を有し、この寝床部７は、長さ方向なかほどに形成したくびれ部７Ａと、このくびれ部７Ａから先端側に乳幼児の上半身が入る略円形の上半身収容部７Ｂと、この上半身収容部７Ｂとくびれ部７Ａを介して一体的に形成すると共にくびれ部７Ａから基端側へ向けて幅が拡がるように略釣鐘状に形成した、乳幼児の下半身を入れる下半身収容部７Ｃと、を含んでいる。
【００３０】
更に、ベッド本体６は寝床部７と一体的に形成され、上半身収容部７Ｂの周縁から上方に向けて延びて上半身収容部７Ｂの外形縁を画成する上半身収容側壁部８Ａと、この上半身収容側壁部８Ａと峰続きに一体的に形成されると共に寝床部７とも一体的に形成され、下半身収容部７Ｃの両側縁から上方に向けて延びて下半身収容部７Ｃの外形縁を画成する下半身収容側壁部８Ｂ，８Ｃと、を備えている。
【００３１】
このようなベッド本体６によれば、乳幼児の腕のつけ根から腰までの胴体周辺がくびれ部７Ａの両壁部間に入れられて寝床部７に乳幼児を仰向けに寝かせると、乳幼児が頭を載せた上半身収容部７Ｂにて両手を広げると共にくびれ部７Ａから基端側に拡がる下半身収容部７Ｃにて両足を広げることができる。
【００３２】
このように構成したベッド本体６を備えた寝台４には、更に乳幼児の動きを規制する拘束具が取り付けられている。ここで、図２は本発明の実施形態に係る寝台４のくびれ部７Ａを横切る断面図である。この図に示すように、くびれ部７Ａを横切る寝台４の幅方向に沿って拘束具、具体的には以下詳述する３つの部材、即ち、ベルト装置１０，バックル２５，係止部材３０が寝台４に取り付けられている。
【００３３】
先ず、ベルト装置１０は、長尺状のベルト１１を捲回して保持しており、引き出されたベルト１１を巻き取るもので、更に本発明の実施形態に係るベルト装置１０では、所定の長さ引き出したベルト１１がそれ以上引き出されないように、引き出しを規制することができるようになっている。
【００３４】
ここで、図３は本発明の実施形態に係るベルト装置１０の斜視図で、図４はベルト装置１０の正面図、図５はベルト装置１０の右側面図、図６は図５のＡ−Ａ線断面図、図７はベルト装置１０の左側面図、図８はベルト装置１０の平面図である。
【００３５】
ベルト装置１０は、鉄板等の鋼材をプレス加工により曲折して形成したブラケット１２を備えており、このブラケット１２は、外形が長方形状の底板部１２Ａと、この底板部１２Ａの左右の縁からそれぞれ起立し、互いに向かい合った左側壁部１２Ｌ及び右側壁部１２Ｒとを備えている。
【００３６】
左右の各側壁部１２Ｌ，１２Ｒは、同じ形を呈し、それぞれ同じ位置に開口１２Ｌ１，１２Ｒ１（図６参照）を設けている。そして、ベルト１１を巻き取る筒状に形成されたリール１３が、ブラケット１２に回転可能に軸支されている。なお、リール１３は、その両端に取り付けられたリング状の各ベアリング１３Ｌ１，１３Ｒ１を介してブラケット１２に取り付けられ、各ベアリング１３Ｌ１，１３Ｒ１はそれぞれ対応する開口１２Ｌ１，１２Ｒ１に摺動可能に嵌入している。このように左右の側壁部１２Ｌ，１２Ｒ間に回転可能に配設されたリール１３にベルト１１の一端が取り付けられている。なお、ベアリング１３Ｌ１，１３Ｒ１の回転軸は、リール１３の円筒軸と同一に設定されている。ここで、リール１３やベアリング１３Ｌ１，１３Ｒ１は、樹脂等を射出成形したプラスチック製品でも良く、鋳型により製造される鋳物製品であってもよい。
【００３７】
また、右側壁部１２Ｒの開口１２Ｒ１に嵌入したベアリング１３Ｒ１の内側には、後述するバネ１５をリール１３に連結するための連結部１３Ｒ２が取り付けられている。この連結部１３Ｒ２は、図６に示すように、右側壁部１２Ｒから突出し、ハウジング１４で覆われている。これらの連結部１３Ｒ２やハウジング１４も、樹脂等を射出成形したプラスチック製品又は鋳型により製造される鋳物製品である。
【００３８】
このハウジング１４と右側壁部１２Ｒとで画成される空間内に渦巻き状のバネ１５（図５参照）が収容され、このバネ１５の先端は連結部１３Ｒ２に形成されたスリット１３Ｒ２１に固定されている。なお、リール１３からベルト１１を引き出すと、ベルト１１の引き出しに伴うリール１３の回転によってバネ１５が収縮する。この時、ベルト１１がリール１３に巻き取られるように、バネ１５が元に戻ろうとする付勢力によってリール１３に回転力が働く。
【００３９】
一方、左側壁部１２Ｌの開口１２Ｌ１に嵌入したベアリング１３Ｌ１の内側には連結部１３Ｌ２が取り付けられている。この連結部１３Ｌ２は、リール１３と共に回転するものであり、図６に示すように、左側壁部１２Ｌから突出し、その先端側に回転軸と直角する方向に広がった鍔部１３Ｌ２１が形成されている。この鍔部１３Ｌ２１と左側壁部１２Ｌとの間に、図６に示すように、後述のギヤ１６が挟持されている。これらの連結部１３Ｌ２１やギヤ１６も樹脂等を射出成形したプラスチック製品又は鋳型により製造される。
【００４０】
このギヤ１６は、中心に上記連結部１３Ｌ２を通す開口を有し、円板状に形成されており、さらに、図７に示すように、ギヤ１６の外周には一つの爪部１６Ａが外方向に突出するように形成されている。このように形成されたギヤ１６は、連結部１３Ｌ２と共に回転し、その回転軸は連結部１３Ｌ２と同一に設定されている。なお、ギヤ１６の外周に形成される爪部１６Ａの数は１つに限らず、複数設定され得るのは勿論である。
【００４１】
また、ブラケット１２の左右の側壁部１２Ｌ，１２Ｒには、それぞれ同じ位置に穴１２Ｌ２，１２Ｒ２が設けられ、これらの穴１２Ｌ２，１２Ｒ２は、それぞれ底板部１２Ａから垂直方向に沿って縦長状に形成されている。そして、棒状のスライド部材１７が、その両端が穴１２Ｌ２，１２Ｒ２を貫通するようにして、左右の側壁部１２Ｌ，１２Ｒ間に架設されている。右側壁部１２Ｒの穴１２Ｒ２を貫通したスライド部材１７の先端にはリベット１７Ａが取り付けられている。
【００４２】
一方、左側壁部１２Ｌの穴１２Ｌ２を貫通したスライド部材１７のもう一つの先端は、図３に示すように、ストッパ１８の穴１８Ａをも貫通している。これらのスライド部材１７やストッパ１８も、樹脂等を射出成形したプラスチック製品又は鋳型により製造することができる。
【００４３】
このストッパ１８は、図３及び図７に示すように、揺動可能に下端部が軸部材１８Ｂにより左側壁部１２Ｌの外面に取り付けられている。なお、ストッパ１８の回転軸が、前記のスライド穴１２Ｌ２の下方の位置に設定されている。
【００４４】
さらに、ストッパ１８には、ストッパ１８の回転軸の上方に、鉛直線に対して所定の角度傾斜した方向に沿って前記の穴１８Ａが設けられいる。図７に示すように、左側面視、穴１８Ａは、その下端から右上に延びた細長状に形成されている。また、ストッパ１８は、左上隅に前記ギヤ１６の爪部１６Ａと面接触するための切り欠き１８Ｃが形成されている。
【００４５】
ここで、スライド部材１７が穴１２Ｌ２，１２Ｒ２の中で下端から上端に向けてスライドするとき、ストッパ１８の穴１８Ａ内においてもスライド部材１７の先端が摺動する。そして、このようなスライド部材１７の動作に連動して、ストッパ１８が、図７の二点鎖線で示すように、ギヤ１６側に揺動する。このとき、ストッパ１８の切り欠き１８Ｃがギヤ１６の爪部１６の回転軌跡上に位置するので、ベルト１１をさらに引き出すと、ギヤ１６が図７で示す矢印方向に回転してストッパ１８の切り欠き１８Ｃに衝接する。このようにして、スライド部材１７を上に押し上げた状態においては、ギヤ１６の回転が規制されることになる。
【００４６】
なお、ストッパ１８の揺動中心の位置から水平方向前方に離隔した左側壁部１２Ｌ及び右側壁部１２Ｒの内面には、図３及び図８に示すように、それぞれピン１９Ｌ，１９Ｒが突設している。そして、これらのピン１９Ｌ，１９Ｒとスライド部材１７とに弾性部材２０が架設されている。
【００４７】
この弾性部材２０によって、スライド部材１７は縦長の穴１２Ｌ２，１２Ｒ２の下端に位置するように付勢されている。したがって、ストッパ１８を揺動するには、弾性部材２０の付勢力に抗してスライド部材１７を上方に持ち上げる必要がある。なお、この弾性部材２０としては、コイル状のバネや紐状のゴムの他に、伸張すると元の状態に戻る作用を有する伸縮或いは弾性部材を用い得ることは勿論である。
【００４８】
そして、ベルト装置１０外部からスライド部材１７に外力を伝えるために、スライド部材１７には、図３及び図６に示すようにＴ形のバー２１が取り付けられており、バー２１の下方に延びる鉛直部２１Ａが底板部１２Ａに設けられた穴１２Ａ１を貫通して、ベルト装置１０外に突出している。このバー２１も、樹脂等を射出成形したプラスチック製品又は鋳型により製造し得る。
【００４９】
このように構成したベルト装置１０の寝台４への取り付けを容易にするために、図に示すように、ベルト装置１０の底板部１２Ａの周縁には、ボルト挿入用の孔を有するフランジ１２Ａ２が２組延設している。
【００５０】
そして、ベルト装置１０は、図２に示すように、寝台４のくびれ部７Ａ（ベッド本体６）から見て支柱側に配設されているベッド基材５の表部材５Ａの裏面に取り付けられる。即ち、ベルト装置１０は、ベッド基材５の閉断面内に配設されている。この取付状態においては、バー２１の鉛直部２１Ａが、ベルト装置１０の取付面に形成された開口５Ａ１から突出している。なお、鉛直部２１Ａは、後述の係止部材３０に近接して配置される。
【００５１】
そして、ベルト装置１０から延びたベルト１１の先端は、くびれ部７Ａ（ベッド本体６）の下方に沿って、寝台４の先端側に向けてベッド基材５の閉断面内を進み、ベッド基材５の裏部材５Ｂの裏面に設けられたリンク５Ｂ１を介して、ベッド基材５の先端側の表部材５Ａに形成された開口５Ａ２から引き出されてバックル２５に取り付けられている。
【００５２】
ここで、バックル２５は、コンピュータで利用されるポインティング・デバイス（所謂マウス）のように、手にすっぽり入る程度の小さな箱形に形成されており、底部に後述する係止部材３０を挿入するための窪み２５Ａが形成されている。
【００５３】
係止部材３０は、ベルト装置１０が取り付けられている表部材５Ａの表面に配置されている。この係止部材３０は、バックル２５の窪み２５Ａに対応してその形が設定されており、例えば円柱状に形成されている。
【００５４】
ここで、バックル２５の窪み２５Ａの中に係止部材３０が挿入されているときに、バックル２５が係止部材３０に取り外し可能にロックされると便利である。例えば、スプリングの付勢力によって係止部材３０の外表面から出没する突出部３０Ａ（図２参照）を係止部材３０に設け、この突出部３０Ａに対応して、バックル２５の窪み２５Ａの表面に突出部３０Ａが嵌入する溝２５Ａ１（図２参照）を形成する。この突出部３０Ａが溝２５Ａ１に嵌入することで、バックル２５が係止部材３０にロックされる。
【００５５】
そして、このロックを解除するために、突出部３０Ａを係止部材３０に埋没するように内側に押し込む操作ボタン２５Ｂが、バックル２５に設けられている。即ち、突出部３０Ａを外方向に付勢するスプリングの力に抗するように操作ボタン２５Ｂをバックル２５の内側方向に押すことで、バックル２５の係止部材３０に対するロックが解除される。
【００５６】
なお、このようなバックル２５を寝台４のベッド基材５の表部材５Ａに係止する構成としては、バックル２５に窪み２５Ａを形成し、この窪み２５Ａに上記の円柱状の係止部材３０を嵌入するような構成の他に、例えばバックル２５に底部から突出する爪を形成し、この爪を引っ掛ける穴を表部材５Ａに開設して、バックル２５を表部材５Ａに係止するようにしてもよい。また、バックル２５内に磁石を配設すると共にベッド基材５側に鉄板等を配設して磁力によってバックル２５を表部材５Ａに取り外し可能に吸着させるように構成してもよい。
【００５７】
以上のように構成されるおむつ交換台１の使用方法について説明する。
まず、乳幼児の腕のつけ根から腰までの胴体周辺がくびれ部７Ａの両壁部間に入れて寝床部７に乳幼児を仰向けに寝かせる。そして、ベルト装置１０からベルト１１を引き出しながらバックル２５を持ち上げ、バックル２５を係止部材３０に係止させる。このとき、バックル２５が鉛直部２１Ａを寝台４内に押すようにして、バックル２５を係止部材３０に係止する。
【００５８】
そして、鉛直部２１Ａが寝台４内に押されることで、ベルト装置１０のスライド部材１７が穴１２Ｌ２，１２Ｒ２の中でスライドし、ストッパ１８の穴１８Ａ内においてもスライド部材１７の先端が摺動する。そして、このようなスライド部材１７の動作に連動して、ストッパ１８が、図７の二点鎖線で示すように、ギヤ１６側に揺動する。このとき、ストッパ１８の切り欠き１８Ｃが、ギヤ１６の爪部１６Ａの回転軌跡上に位置することになる。
【００５９】
ここで、ギヤ１６の爪部１６Ａがストッパ１８の切り欠き１８Ｃに当接していれば、ベルト装置１０からベルト１１をそれ以上引き出すことができない。また、スライド部材１７がシフトしたときに、ギヤ１６の爪部１６がストッパ１８の切り欠き１８Ｃに当接していない場合には、該爪部１６Ａが切り欠き１８Ｃに衝接するまでギヤ１６が回転して、ベルト１１をベルト装置１０から所定長だけさらに引き出すことができる。しかし、爪部１６Ａが切り欠き１８Ｃに衝接すると、それ以上ベルト１１をベルト装置１０から引き出すことはできない。即ち、ベルト１１を過度に引き出すことができないようになっている。このようにして、ベルト１１の引き出しがベルト装置１０によって規制される。
【００６０】
一方、バックル２５を係止部材３０から外す場合は、突出部３０Ａを係止部材３０に埋没するよう、操作ボタン２５Ｂをバックル２５の内側方向に押す。これにより、係止部材３０の突出部３０Ａがバックル２５の溝２５Ａ１から外れる。こうして、バックル２５を係止部材３０から外すことができる。そして、バックル２５を持ち上げると、弾性部材２０の付勢力によって、鉛直部２１Ａが再びベルト装置１０の取付面に形成された開口５Ａ１から突出することになる。
【００６１】
このとき、ストッパ１８も図７で実線で示す元の状態位置に戻る。そして、ベルト１１が巻き取られるように、ハウジング１４内に収容されているバネ１５の付勢力によってリール１３が回転する。これにより、係止部材３０から取り外したバックル２５を図２に示す元の状態位置に戻すと、ベルト１１は撓むことなくベルト装置１０内に巻き取られることになる。
【００６２】
このように本発明の実施形態に係るベルト装置１０を用いたおむつ交換台１によれば、ストッパ１８によってベルト１１の引き出しが制限されるので、寝台４に寝ている子供が動いたとしても、過度にベルト１１が引き出されることがないため、乳幼児を十分に拘束することができる。
【００６３】
以上説明したが、ベルト装置１０においては、ベルト１１の引き出しをロックしたときに、即ち、ストッパ１８が機能を果たしているときに、場合によりさらに短い長さのベルト１１を引き出すことができるが、この余剰部分として引き出し可能なベルト１１の長さは、ギヤ１６の直径，爪部１６Ａと切り欠き１８Ｃまでの距離、爪部１６Ａの数等を変えることで、容易に変更することができるのは勿論である。
【００６４】
以上の説明では、本発明のベルト装置１０をおむつ交換台１に適用した場合を例示したが、本発明のベルト装置１０は、長さを調節して乳幼児を拘束する乳幼児用の椅子などの保持具や乳幼児を運搬するためのチャイルドシートなどの運搬具に適用することができるのは勿論である。また、乳幼児用の物品ばかりではなく、老人介護用などの物品にも適用することもできる。
【００６５】
例えば図９及び図１０に示すように、本発明のベルト装置１０を椅子２に適用してもよい。この椅子２は、一対の前脚２Ａを方形状の座部２Ｂの背面前方に取り付けており、さらに、座部２Ｂの後端を長方形状の板部材２Ｃの高さ中間程度の位置に接続している。板部材２Ｃの上方部は背もたれとして機能し、板部材２Ｃの下方部は後脚として機能する。なお、この板部材２Ｃは背もたれの部位と後脚との部位が一つの部材として一体に形成されているが、この板部材２Ｃの代わりに、背もたれ部と後脚部とを別々に製造して座部２Ｂに取り付けてもよい。また、この場合後脚部は、前脚２Ａと同様に柱状に形成されていてもよい。
【００６６】
そして、座部２Ｂの底面後側には、ベルト装置１０を収容する中空のケース２Ｄが取り付けられている。このケース２Ｄは、その両方の端部２Ｄ１，２Ｄ２を座部２Ｂからはみ出るようにその大きさが設定され、各端部２Ｄ１，２Ｄ２を座部２Ｂの縁からはみ出すようにしてケース２Ｄは座部２Ｂに取り付けられている。なお、このケース２Ｄは、それ自体で閉断面を画成するように構成する他に、板部材２Ｃや座部２Ｂとの協働で中空の閉断面を構成するような、一部が開口した形状であっても良い。
【００６７】
ベルト装置１０は、図に示すように、ケース２Ｄの一方の端部２Ｄ１の中に配設されている。このとき、前述のおむつ交換台１に対する取付の仕方と同様に、鉛直部２１Ａが一方の端部２Ｄ１の表面に形成した孔を介してケース５Ｄ外に突出するように、ベルト装置１０はケース２Ｄに取り付けられている。
【００６８】
そして、ベルト装置１０から引き出されたベルト１１の先端は、ケース５Ｄの閉断面内を進み、他方の端部２Ｄ２に形成された開口２Ｄ２１からケース２Ｄ外に引き出されて、バックル２５に取り付けられている。さらに、係止部材３０が、ベルト装置１０を設置した端部２Ｄ１の表面上において、鉛直部２１Ａに近接して配置されている。
【００６９】
このように構成された椅子２においても、前述のおむつ交換台１と同様に、ケース２Ｄ内のベルト装置１０からベルト１１をさらに引き出してバックル２５を持ち上げ、バックル２５を係止部材３０に係止させる。このとき、バックル２５が鉛直部２１Ａをケース２Ｄ内に押すようにして、バックル２５を係止部材３０に係止する。
【００７０】
このように、鉛直部２１Ａがケース２Ｄ内に押されると、ストッパ１８がギヤ１６側に揺動して（図７参照）爪部１６Ａの回転軌跡上に位置することになる。したがって、前述のおむつ交換台１におけるベルト装置１０の使用手法と同様に、鉛直部２１Ａが押された状態では、ベルト１１をさらに引き出すことが規制される。
このような椅子２にベルト装置１０を適用すれば、椅子２に座らせた子供を拘束することができる。
【産業上の利用可能性】
【００７１】
以上述べたように、本発明のベルト装置は、乳幼児のおむつを交換する際に利用するおつむ交換台に適用して、好適に乳幼児の動きを拘束することができる。
【図面の簡単な説明】
【００７２】
【図１】本発明の実施形態に係るベルト装置を備えたおむつ交換台を示す斜視図である。
【図２】本発明の実施形態に係る寝台のくびれ部を横切る断面図である。
【図３】本発明の実施形態に係るベルト装置を示す斜視図である。
【図４】本発明の実施形態に係るベルト装置を示す正面図である。
【図５】本発明の実施形態に係るベルト装置を示す右側面図である。
【図６】図５のＡ−Ａ線断面図である。
【図７】本発明の実施形態に係るベルト装置の左側面図である。
【図８】本発明の実施形態に係るベルト装置の平面図である。
【図９】本発明の実施形態に係るベルト装置を備えた椅子を示す斜視図である。
【図１０】図９のＢ−Ｂ線断面図である。
【図１１】従来のおむつ交換台の寝台を示す斜視図である。
【図１２】従来のおむつ交換台の寝台を示す斜視図である。
【符号の説明】
【００７３】
１                  おむつ交換台
２                  椅子
２Ａ                前脚
２Ｂ                座部
２Ｃ                板部材
２Ｄ                ケース
２Ｄ１，２Ｄ２      ケースの各端部
２Ｄ２１            端部に形成された開口
３                  支柱
４                  寝台
５                  ベッド基材
５Ａ                ベッド基材の表部材
５Ａ１              開口（第四の穴）
５Ｂ                ベッド基材の裏部材
５Ｂ１              リンク
６                  ベッド本体
７                  寝床部
７Ａ                くびれ部
７Ｂ                上半身収容部
７Ｃ                下半身収容部
８Ａ                上半身収容側壁部
８Ｂ，８Ｃ          下半身収容側壁部
１０                ベルト装置
１１                ベルト
１２                ブラケット
１２Ａ              ブラケットの底板部
１２Ａ１            穴（第三の穴）
１２Ｌ              ブラケットの左側壁部
１２Ｒ              ブラケットの右側壁部
１２Ｌ１，１２Ｒ１  開口
１２Ｌ２，１２Ｒ２  穴（第一の穴）
１３                リール
１３Ｌ１，１３Ｒ２  ベアリング
１３Ｌ２，１３Ｒ２  連結部
１３Ｌ２１          鍔部
１３Ｒ２１          スリット
１４                ハウジング
１５                バネ
１６                ギヤ
１６Ａ              ギヤの爪部
１７                スライド部材
１７Ａ              リベット
１８                ストッパ
１８Ａ              ストッパの穴（第二の穴）
１８Ｂ              軸部材
１８Ｃ              切り欠き
１９Ｌ，１９Ｒ      ピン
２０                弾性部材
２１                Ｔ形のバー
２１Ａ              バーの鉛直部
２５                バックル
２５Ａ              バックルの底部に形成された窪み
２５Ａ１            溝
３０                係止部材
３０Ａ              突出部
【図１】
2005131184.tif 000003
【図２】
2005131184.tif 000004
【図３】
2005131184.tif 000005
【図４】
2005131184.tif 000006
【図５】
2005131184.tif 000007
【図６】
2005131184.tif 000008
【図７】
2005131184.tif 000009
【図８】
2005131184.tif 000010
【図９】
2005131184.tif 000011
【図１０】
2005131184.tif 000012
【図１１】
2005131184.tif 000013
【図１２】
2005131184.tif 000014